(57)【特許請求の範囲】
【請求項１】
光発散部及び電極部からなる複数の光源と、
前記光源を収納するボトムフレームと、
前記光源の上部に配置される光学部材と、
前記光源の電極部をホールディングする複数の電極ホルダーと、
垂直柱と前記垂直柱より傾いた傾斜面を有し、互いに離隔配置されて前記光学部材を支持する複数の光学部材サポーターと、
を備えることを特徴とするバックライトアセンブリ。
【請求項２】
前記複数の電極ホルダーは互いに離隔され、前記光学部材サポーターは隣接する電極ホルダーの間に配置されることを特徴とする請求項１記載のバックライトアセンブリ。
【請求項３】
前記ボトムフレームはメイン面と前記メイン面の両側に形成される端部とを有し、
前記光学部材サポーターは、前記メイン面に配置され、前記端部と一定の距離を維持して水平方向の第１空き空間を形成することを特徴とする請求項１記載のバックライトアセンブリ。
【請求項４】
前記ボトムフレームは、メイン面、前記電極ホルダーが配置される前記メイン面の両端より垂直に延長形成される端部、及び前記電極ホルダーが配置されない前記メイン面の両側から垂直に延長形成される側部を有することを特徴とする請求項１記載のバックライトアセンブリ。
【請求項５】
前記光学部材サポーターは垂直柱と前記垂直柱より傾く傾斜面、及び前記垂直柱の下部と前記傾斜面の下部を相互接続する水平接続部を有することを特徴とする請求項１記載のバックライトアセンブリ。
【請求項６】
隣り合う光学部材サポーターはブリッジの形態で互いに接続されることを特徴とする請求項１記載のバックライトアセンブリ。
【請求項７】
前記光学部材サポーターは、光学部材を支持する垂直柱、前記垂直柱より傾いて形成される傾斜面、及び前記傾斜面の反対側に配置される後方支持部を有することを特徴とする請求項１記載のバックライトアセンブリ。
【請求項８】
ボトムフレームを備える段階と、
前記ボトムフレームの上部に複数の蛍光ランプを配置する段階と、
垂直柱と前記垂直柱より傾いた傾斜面を有し、互いに離隔配置される複数の光学部材サポーターを前記ボトムフレームに固定する段階と、
光学部材を前記光学部材サポーターに配置する段階と、
前記光学部材の上部に液晶パネルを配置する段階と、
前記液晶パネルの両側をトップフレームで覆う段階と、
を有することを特徴とするバックライトアセンブリの製造方法。
【請求項９】
前記複数の光学部材サポーターは自動化設備を通じて順次に前記ボトムフレームに固定されることを特徴とする請求項８記載のバックライトアセンブリの製造方法。
【発明の詳細な説明】
【技術分野】
【０００１】
本発明は、バックライトアセンブリとその製造方法に関し、より詳しくは、光学部材サポーターが複数の光源の間に位置する構造を有するバックライトアセンブリとその製造方法に関する。
【背景技術】
【０００２】
日常生活において、ディスプレイとして液晶表示装置が益々人気を集めている。液晶表示装置は２枚の基板の間に液晶層が介在されている液晶パネル有する。液晶表示装置は、自発光装置ではないため、液晶パネルの後方に配置された液晶パネルに光を提供するバックライトアセンブリを必要とする。
【０００３】
バックライトアセンブリは光源の位置により直下形バックライトアセンブリと側光形バックライトアセンブリに区分される。直下形バックライトアセンブリにおいては、光源が液晶パネルの後方に位置し、光源と液晶パネルの間に光学部材が別途に配置されて、バックライトの輝度の均一性と視野角とを向上させることができる。
【０００４】
また、バックライトアセンブリは、光源を収納し、光学部材を支持するためのボトムフレームを含む。ここで、光源は光発散部と電極部に分けられ、光発散部はボトムフレームの光源収納部の上方に配置されて、電極部は熱を放出する部分として別途にボトムフレームの端部に配置される側面カバーによってカバーされる。
【０００５】
特に、各光源の電極部は持続的に熱を発散するにも拘らず、側面カバーはほぼ完璧に電極部を覆うために、ボトムフレームの端部は温度が極めて高くなることが生じる。このような、過度な温度は発火可能性を有しているため、液晶表示装置の安全問題をひき起こす場合がある。
【０００６】
このような、短所を克服するために側面カバーには高耐熱性材料を使用することができるが、高耐熱性材料は高価であるため、結局、バックライトアセンブリ及び液晶表示装置の原価上昇を招く。更に、側面カバーが光源の電極部をほぼ完璧に覆うことによって液晶表示装置の軽量化を妨げることになり得る。
【発明の開示】
【発明が解決しようとする課題】
【０００７】
そこで、本発明は、上記従来の問題点に鑑みてなされたものであって、本発明の目的は、バックライトアセンブリの端部の構造を変更することにより、液晶表示装置の安全性を高めると共に原価節減と軽量化を達成することができるバックライトアセンブリとその製造方法を提供することにある。
【課題を解決するための手段】
【０００８】
上記目的を達成するためになされた本発明の一特徴によるバックライトアセン
ブリは、複数の光源、ボトムフレーム、光学部材、複数の電極ホルダー、及び複
数の光学部材サポーターを備える。光源は光発散部及び電極部からなる。ボトム
フレームは前記光源を収納する。光学部材は前記光源の上部に配置される。電極
ホルダーは前記光源の電極部をホールディングする。光学部材サポーターは垂直
柱と前記垂直柱より傾いた傾斜面を有し、互いに離隔配置されて前記光学部材を
支持する。
【０００９】
光源は液晶パネルの後方に位置し、液晶パネルに光を供給する。光学部材は拡散板、拡散シート、又は集光シートのうち、少なくとも１つ以上よりなり、光の経路を変更することによって光の分布を調節する。
【００１０】
光源は中間部分において光を発散する光発散部と端部に位置して光源に電気エネルギーを供給する電極部に分けられる。ここで、電極部に伝わった電気エネルギーは全部光エネルギーに変換されず、一部が熱エネルギーとして発散される。
【００１１】
ボトムフレームはメイン面と周辺部を有する。メイン面は中央部で光源を収納すると同時に光源と重なる。また、メイン面は周辺部で光源の電極部を収納する。他方、ボトムフレームの端部は、ボトムフレームのメイン面の周辺部付近に位置し、上部の平らな面を利用して、ミドルフレームを支持すると同時に、全体バックライトアセンブリの大きさを定義する。
【００１２】
端部付近とメイン面の周辺部には多数の光学部材サポーターが互いの間隔を維持しつつ、固定配置される。特に、各光学部材支持手段は複数の光源各々に隣接する電極部の間ごとに配置される。端部と光学部材サポーターは互いに離隔されるため、この離隔空間を用いて発熱を容易に行うことができる。ここで、光学部材サポーターは光学部材収納部に配置されて端部付近で空き空間を形成する。
【００１３】
上記目的を達成するためになされた本発明の一特徴によるバックライトアセン
ブリの製造方法は、ボトムフレームを備える段階と、前記ボトムフレームの上部
に複数の蛍光ランプを配置する段階と、垂直柱と前記垂直柱より傾いた傾斜面を有し、互いに離隔配置される複数の光学部材サポーターを前記ボトムフレームに固定する段階と、光学部材を前記光学部材サポーターに配置する段階と、前記光学部材の上部に液晶パネルを配置する段階と、前記液晶パネルの両側をトップフレームで覆う段階と、を有する。
【００１６】
ボトムフレームの周辺部は端部を有し、端部は内壁、外壁と平面部を有する。内壁はメイン面より垂直上方に折曲形成され、内壁の上部より平面部がメイン面と平行する方向に形成されて、平面部より垂直下方に折曲形成され、バックライトアセンブリの機械的強度を向上させる。
【発明の効果】
【００２０】
本発明のバックライトアセンブリとその製造方法によれば、互いに離隔配置される光学部材サポーターが、バックライトに配置されて用いられることによって、液晶表示装置の安全性を高めると共に、製造費用の節減と軽量化を達成することができる。
【発明を実施するための最良の形態】
【００２１】
以下、本発明のバックライトアセンブリとその製造方法、及びこれを含む液晶表示装置を実施するための最良の形態の具体例を、図面を参照しながら詳しく説明する。しかし、本発明は、後述の実施例に限定されず、他の形態をもって具現できる。ここで、紹介する実施例は、開示される内容がより完全になるように、そして、当業者に本発明の思想と特徴が充分に伝わるようにするために提供される。図面において、各装置及び部材の厚さは本発明の明確性を期するために誇張又は過小に図示しており、かつ、各装置は本明細書において説明していない多様な付加部材を更に備えることができる。各図面において類似した部材は同じ図面符号を用いて説明する。
【００２２】
図１は、本発明の一実施例による互いに離隔された光学部材サポーターが配置されたバックライトアセンブリを適用した液晶表示装置の分解斜視図であり、図２は、図１の「Ａ」部分を拡大した部分切開斜視図である。図１を参照すると、液晶表示装置１００は、ボトムフレーム３００、複数の光源４００、光学部材６００、光学部材サポーター５１０、ミドルフレーム７００、液晶パネル８００、及びトップフレーム９００を備える。図１において、光源は蛍光ランプとして説明するが、光源は蛍光ランプのみに限定されず、中間で光を発散して端に電極が設置されたいずれかの発光装置であり得る。同様に、詳細な説明の全般にわたって光源は蛍光ランプとして説明する。
【００２３】
液晶表示装置の色々な部品のうち、ボトムフレーム３００、蛍光ランプ４００、光学部材６００、及び光学部材サポーター５１０は、液晶パネル８００に充分な光を供給するバックライトアセンブリ２００を構成する。バックライトアセンブリ２００内部においてはボトムフレーム３００に収納された複数の蛍光ランプ４００より光が発生し、発生した光は光の経路を調節する光学部材６００を通過して液晶パネル８００に入射する。
【００２４】
ここで、各蛍光ランプ４００は電極部４２０を通じてボトムフレーム３００のメイン面３５０の周辺部に固定される。具体的に、蛍光ランプ４００の電極部４２０には電極４２５が配置され、電極４２５は電極ホルダー４１０に固定されて蛍光ランプ４００に電気を供給する。また、電極部４２０には、電極４２５を固定するグラス部４２７を含むことができる。
【００２５】
他方、蛍光ランプ４００の電極４２５は供給を受けた全ての電気エネルギーを全部光エネルギーに変換しきれず、一部は熱エネルギーに変換されるため、電極部４２０の温度は非常に高い。反面、蛍光ランプの中間に位置する光発散部４３０は電極部４２０よりはそれほど熱を発散しないため、温度が相対的に低い。
【００２６】
ボトムフレーム３００は、後述する図５に示すようにメイン面３５０と端部３７０を備える。メイン面３５０は、中央部３５５と周辺部３５７を備え、複数の蛍光ランプ４００を収納する。メイン面３５０の周辺部３５７には外部の電源装置（図示せず）と接続される蛍光ランプ４００の電極４２５が固定されており、中央部３５５には蛍光ランプ４００の光発散部４３０が上部に配置されている。
【００２７】
他方、端部３７０は、メイン面３５０の周辺部３５７より垂直延長されて形成された内壁３７３を備える。そして、内壁３７３より延長されてメイン面に平行する水平方向には平面部３７５が折曲形成されてミドルフレーム７００の水平部７１０を支持する。最後に、平面部３７５において、垂直に折曲される外壁３７７が延長されて形成され、外壁３７７は、ミドルフレーム７００の垂直面７２０と対向する。端部３７０の内壁３７３、平面部３７５、外壁３７７は全体的に「ｎ」の形態に形成されて液晶表示装置の機械的強度及び耐衝撃性の特性を向上させる。
【００２８】
また、メイン面３５０の中央部３５５は、他の方向に延長形成されて他の「ｎ」形態の側部３８０を備え、この側部３８０は上面３８５を通じて光学部材６００を支持することができる。また、側部３８０は蛍光ランプ４００が延長された方向と並んで平行に配置される。更に、側部３８０は蛍光ランプ４００の下部より延長されて配置された蛍光ランプ反射体３１０に覆われるようにすることができる。
【００２９】
上述のように、蛍光ランプ４００の電極４２５は電極ホルダー４１０を介在してボトムフレーム３００のメイン面３５０に固定される。ここで、電極ホルダー４１０とボトムフレーム３００の端部３７０は、バックライトアセンブリの側面部を構成する。付け加えると、側面部には光学部材サポーター５１０と側面光反射部材５２０が更に配置される。
【００３０】
側面部の構造を具体的に見ると、光学部材サポーター５１０は隣接する蛍光ランプ４００の電極ホルダー４１０の間に配置され、光学部材６００はその端が光学部材サポーター５１０によって支持されるため、電極ホルダー４１０の上方には空き空間が存在する。詳しくは、電極ホルダー４１０の上方空間は、端部３７０の平面部３７５に支持されるミドルフレーム４００まで延長形成される。
【００３１】
更に、光学部材サポーター５１０は全ての電極ホルダー４１０の間ごとに配置されないため、電極ホルダー４１０の付近には更に多くの空き空間ができる。言い換えれば、隣り合う光学部材サポーター５１０はいくつかの電極ホルダー４１０を間に置けるように離隔配置される。
【００３２】
光学部材サポーター５１０がボトムフレーム３００のメイン面３５０に固定された後、光学部材サポーター５１０の傾斜面５１２には側面光反射部材５２０が配置されて蛍光ランプ４００の光を反射するようになる。そして、側面部の電極ホルダー４１０付近の空き空間がより明確に定義される。ここで、側面光反射部材５２０が光を効率的に反射できるように反射面を平坦に維持することができれば、光学部材サポーター５１０の数は効率的に減少できる。
【００３３】
電極ホルダー４１０、光学部材サポーター５１０、側面光反射部材５２０によって定義される空き空間により、高温の電極ホルダー４１０と蛍光ランプ４００の電極部４２０の温度放出は容易に達成することができる。
【００３４】
蛍光ランプ４００、光学部材サポーター５１０と側面光反射部材５２０が全てボトムフレーム３００に固定された後、光学部材６００は、光学部材サポーター５１０に支持されて配置され、光源４００と蛍光ランプ反射体３１０及び側面光反射部材５２０の各々の光反射部材によって発生又は反射された光の経路を変更させる。ここで、光学部材６００は拡散板、拡散シート、集光シート、或いは偏光反射シートなどのうち、いずれか１つ以上からなる。また、光学部材６００の最下側の部材は、その周辺部が光学部材サポーター５１０及び側部３８０と接続されて支持される。しかし、光学部材６００の両側が電極ホルダー４１０の上部空間を完全に覆わない場合もある。この場合は、電極ホルダー４１０の上部空間は開放され、熱の放出を容易に行うことができる。
【００３５】
ミドルフレーム７００はバックライトアセンブリ２００の側面部を覆い、側面部はミドルフレーム７００の外部より隔離させる。ミドルフレーム７００は、端部３７０の外壁３７７と向い合う垂直面７２０と、垂直面７２０より内側に水平延長される水平部７１０を備える。ここで、水平部７１０は、バックライトアセンブリ２００の側面部に形成された電極ホルダー４１０の上部空間を定義する。また、ミドルフレーム７００は、液晶パネル８００の周辺を支持し、液晶表示装置１００の最外側部材であるトップフレーム９００によって覆われる。
【００３６】
図１を通じて、液晶表示装置の製造方法を説明することができる。基本的な製造方法はバックライトアセンブリ２００の製作の後、ミドルフレーム７００をバックライトアセンブリ２００の上に安着させ、液晶パネル８００をミドルフレーム７００に配置した後、トップフレーム９００で液晶パネル８００の上部を覆うことで完成する。
【００３７】
このような製造方法のうち、バックライトアセンブリ２００の製作は、ボトムフレーム３００を準備し、ボトムフレーム３００に複数の電極ホルダー４１０と複数の蛍光ランプ４００を固定した後、光学部材サポーター５１０を側面光反射部材５２０と共に追加してボトムフレーム３００に固定し、光学部材６００を光学部材サポーター５１０に配置することで完成できる。
【００３８】
上記の製造過程は、製造原価の節減のために、工場自動化を利用できる。このような工場自動化において、光学部材サポーター５１０は、順次又は一括してボトムフレーム３００に固定される。
【００３９】
引き続き、蛍光ランプ電極部の上部の空き空間を適用する液晶表示装置の詳細構造を説明する。図３は、図１の断面図であり、ボトムフレームの端部の内壁とボトムフレームに固定された光学部材サポーターとの間に空き空間が形成されている。
【００４０】
図３を参照すると、液晶表示装置１００は、バックライトアセンブリ２００、ミドルフレーム７００、液晶パネル８００とトップフレーム９００を備える。液晶表示装置１００の部材のうち、バックライトアセンブリ２００は液晶パネル８００の後方に位置して液晶パネル８００に均一かつ充分な輝度を提供するように設計される。バックライトアセンブリ２００と液晶パネル８００はミドルフレーム７００の水平部７１０の介在部７１３を媒介として互いに所定の間隔を形成する。ミドルフレーム７００は、端部３７０の平面部３７５によって支持される後平部７１５を更に備えることができる。
【００４１】
他方、ボトムフレーム３００の端部３７０のうち、平面部３７５は内壁３７３と外壁３７７に垂直折曲され、内壁３７３と外壁３７７はＤ１の距離を有する。そして、ボトムフレーム３００はアルミニウム、アルミニウム合金、ＳＥＣＣ（Ｓｔｅｅｌ，Ｅｌｅｃｔｒｏｇａｌｖａｎｉｚｅｄ，Ｃｏｌｄ−ｒｏｌｌｅｄ，  Ｃｏｉｌ）、或いはステンレス（Ｓｔａｉｎｌｅｓｓ  ｓｔｅｅｌ）などの金属材料によって製作される。このように、金属材料によって製作することで、ボトムフレーム３００は機械的強度を有し、内壁３７３と外壁３７７の間隔Ｄ１は、端部３７０が機械的強度、耐衝撃性、ミドルフレームの支持面積の特性を充足する限り、より狭く形成することができる。なお、狭いＤ１は全体液晶表示装置１００の大きさを小さくすることができる。
【００４２】
他の側面において、内壁３７３と外壁３７７の間隔Ｄ１は、内壁３７３と電極ホルダー４１０の間の間隔Ｄ２より大きい場合があるが、これはＤ２が小さくなるにつれてバックライトアセンブリ２００の熱放出の特性がより秀でるためである。
【００４３】
図３はまた、蛍光ランプ４００の電極（図示せず）が固定された電極ホルダー４１０を示している。電極ホルダー４１０は端部３７０の内壁３７３より内側でボトムフレーム３００に固定される。そして、光学部材サポーター５１０が電極ホルダー４１０の付近に配置されて光学部材６００の端を、光学部材収納部５１３を通じて支持する。光学部材サポーター５１０は、光学部材に物理的損傷が加わらないようにプラスチック物質によって製作することができる。具体的に、光学部材６００の端はミドルフレーム７００の介在部７１３と光学部材サポーター５１０の光学部材収納部５１３の間に配置されて固定される。
【００４４】
光学部材サポーター５１０には傾斜面５１２が形成されており、側面光反射部材５２０を支持する。図１の説明で述べたように、光学部材サポーター５１０の各々は互いに間隔を維持しつつ、独立して配置されているため、側面光反射部材５２０は接着部材を利用して傾斜面５１２に固定することができ、この際、側面光反射部材５２０は全体的に平らな面を維持する。
【００４５】
反面、傾斜面５１２の反対側には垂直柱５１４が配置され、光学部材６００と光学部材６００の上部にある部材を支持する。垂直柱５１４は電極ホルダー４１０と水平に重なってバックライトアセンブリ２００と液晶表示装置１００の全体的な大きさを小さくすることができる。
【００４６】
側面部の断面図は電極ホルダー４１０とミドルフレーム７００によって定義される空き空間ＥＳ１を示す。空き空間ＥＳ１はボトムフレーム３００の内壁３７３と光学部材サポーター５１０との間の空間として定義することもできる。即ち、空き空間ＥＳ１はボトムフレーム３００の内壁３７３、ミドルフレーム７００の水平部７１０、光学部材サポーター５１０、及びボトムフレーム３００のメイン面３５０に設置される電極ホルダー４１０に取り囲まれる空間として定義することができる。
【００４７】
言い換えれば、電極ホルダー４１０の上部の空き空間によって熱放出を容易に行うことができ、耐熱性が低い材質の光学部材サポーター５１０でも液晶表示装置の安定性を満足させることができる。ここで、液晶表示装置の安定性とは、どのような理由でも発火しない液晶表示装置のことをいう。更に、金属材質であり、電極ホルダー４１０の付近に配置された内壁３７３の熱伝導性は非常に高いため、電極ホルダー４１０付近の放熱はより容易になる。
【００４８】
ここで、図３に示す高い放熱特性を図４と比較して説明する。図４は、電極ホルダーの上方に空き空間が形成されていないバックライトアセンブリを示す断面図である。図４は、図３とは異なって、電極ホルダーの上方に空き空間ＥＳ１が、ミドルフレーム７００等によって塞がったまま、側面部に形成されていない。詳しくは、電極ホルダー４１０が大きな側面カバー５５０とボトムフレーム３００によって取り囲まれている。ここで、ボトムフレーム３００は電極ホルダー４１０が固定されているメイン面３５０と電極ホルダー４１０より離れたところに垂直折曲された垂直壁３９０を備える。
【００４９】
そして、側面カバー５５０は、ボトムフレーム３００の垂直壁３９０に連接する第１垂直面５５１、蛍光ランプ４００の光発散部４３０より発散された光を反射して電極ホルダー４１０より内面に位置する傾斜面５５３及び第１垂直面５５１と傾斜面５５３を接続する接続部５５５を備える。付け加えると、接続部５５５は、中央より電極ホルダー４１０の方向に下方延長された第２垂直面５５７を含む。第２垂直面５５７はまた、接続部５５５の上部のミドルフレーム７００を支持するための機械的強度を補強するように設計される。
【００５０】
ここで、側面カバー５５０は、一体化されていて、蛍光ランプ４００と並んで形成されるボトムフレームの一側部（図示せず）から他の側面（図示せず）に延長形成されている。よって、側面カバー５５０内部の空気は閉じ込められることになり、外部への対流が制限されることによって、側面カバー５５０の温度は上昇することになり、これは特に電極ホルダー４１０付近においてより深刻に現れる。
【００５１】
よって、蛍光ランプの誤作動と側面カバー５５０の発火性を下げるために、側面カバー５５０は、耐熱性又は耐火性を有する一般プラスチックより高価の材質で構成される。なお、構造上、図３とは異なって、垂直壁３９０が電極ホルダー４１０から離れて位置し、第１垂直面５５１に覆われているため、電極ホルダー４１０付近の熱がボトムフレーム３００の垂直壁３９０に伝わって外部への放出が難しくなる。
【００５２】
また、側面カバー５５０が一体化されつつ、バックライトアセンブリの側面部を密閉していることによって、側面カバーは図３の光学部材サポーターより大きな体積を有することになり、全体バックライトアセンブリの製造原価を上昇させることになる。以上、図３と図４を総合的に比較すれば、図３の光学部材サポーターが、図４の側面カバーよりバックライト及び液晶表示装置の製造原価と体積、及び安全性において優れていることがわかる。
【００５３】
図５は、本発明の一実施例による図１と図３に示すボトムフレームを示す斜視図である。図５を参照すると、ボトムフレーム３００は、アルミニウム（ＡＩ）、ＳＥＣＣ（Ｓｔｅｅｌ，Ｅｌｅｃｔｒｏｇａｌｖａｎｉｚｅｄ，  Ｃｏｌｄ−ｒｏｌｌｅｄ，Ｃｏｉｌ）、或いは、ステンレス（Ｓｔａｉｎｌｅｓｓ  ｓｔｅｅｌ）のような高い熱伝導度、電気伝導度、及び耐衝撃性を有する金属をもって製作される。そして、ボトムフレーム３００は、全体的に均一な厚さ「ｔ」を有する金属板を曲げるか、又は、穿孔して製作することにより、ボトムフレームの全体構造において均一な厚さを有する。
【００５４】
次に、ボトムフレーム３００の具体的な構造について説明する。図５のボトムフレーム３００は、蛍光ランプ（図示せず）を収納するメイン面３５０、メイン面３５０の周辺に形成されていてメイン面３５０より垂直に延長された内壁３７３、内壁３７３よりメイン面３５０と平行する方向に折曲形成される平面部３７５、平面部３７５より下方に折曲形成される外壁３７７からなる。
【００５５】
内壁３７３の周辺には多数の蛍光ランプの電極ホルダーの固定ホール３３０が、電極ホルダー（図示せず）を固定するために配置される。各々の固定ホール３３０は隣接する固定ホールと一定の間隔を有し、このような間隔の一部に光学部材サポーター（図示せず）を固定する。具体的に、光学部材サポーターの固定ホール３３３は、隣接する電極ホルダーの固定ホール３３０との間隔ＳＰで形成されるか、或いは、この間隔ＳＰより広い間隔で形成され、メイン面３５０の内部側に形成できる。ここで、隣り合う光学部材サポーターの固定ホール３３３は、複数の電極ホルダーの固定ホール３３０を間において配置され、その数が電極ホルダーの固定ホールの数を超えることはない。
【００５６】
端部３７０を除いたボトムフレーム３００のメイン面３５０には、メイン面３５０に垂直に、蛍光ランプ（図示せず）と平行に位置する側部３８０が存在する。ここで、ボトムフレーム３００は、１枚の金属板で各々の端部３７０と側部３８０の形態を製作することにより、隣接する端部３７０と側部３８０の間にギャップ３４０がボトムフレーム３００のコーナー部に存在する。
【００５７】
また、自動化されたバックライトアセンブリの組立過程において、電極ホルダーを電極ホルダーの固定ホール３３０に容易に組立てるために、電極ホルダーの固定ホールのうち、一番外側の固定ホールはギャップ３４０の近くに位置することができる。他方、外部パーティクルのバックライトアセンブリへの流入防止、又は、バックライトアセンブリの機械的強度を向上させるために、コーナーに位置するギャップ３４０には、図６においてその構造が詳しく記述されるコーナーピースを配置できる。
【００５８】
図６は、本発明の一実施例によるコーナーピースと側面光反射領域を含む側面光反射部材を示す概要図である。図６を参照すると、コーナーピース５２３は側面光反射部材５２０の両側に配置され、側面光反射部５２１はコーナーピース５２３の間に配置され、光学部材サポーター（図示せず）の傾斜面に配置されることによって蛍光ランプ（図示せず）より出射する光を反射する。
【００５９】
側面光反射部材５２０のコーナーピース５２３は、ボトムフレームのギャップ（図示せず）に配置される第１垂直面５２４と光学部材（図示せず）のコーナーを支持する上面５２５からなる。ここで、第１垂直面５２４はギャップに配置されることにより、バックライトアセンブリの内部空間と外部環境を分離する。
【００６０】
コーナーピースの第１垂直面５２４をしっかり固定するために、第１垂直面より他方向に延長されて第２垂直面５２６が形成される。具体的に、第２垂直面５２６はボトムフレームの側部（図１の３８０）に形成される内部の空き空間に挟むように固定される。他方、上面５２５は第１垂直面５２４と第２垂直面５２６に共に接続され、光学部材のコーナーを支持できる。
【００６１】
コーナーピース５２３は側面光反射部５２１を固定するための傾斜面５２７を追加で含むことができる。詳しくは、傾斜面５２７は上面５３５より側面光反射部５２１と同じ傾斜度で下方に延長形成される。
【００６２】
他方、側面光反射部５２１は側面光反射部材５２０の両側に位置するコーナーピース５２３の傾斜面５２７を互いに接続し、光学部材サポーター（図示せず）の傾斜面に支持、配置される。付け加えると、側面光反射部５２１は電極ホルダー（図示せず）と蛍光ランプの主発光部の間に配置されるため、複数の蛍光ランプの収納開口５２２が形成されてバックライトアセンブリの蛍光ランプを収納することになる。
【００６３】
側面光反射部５２１は、蛍光ランプより発散される光をより充分に発散させるために、側面光反射部５２１の下側に位置する収納開口５２２は蛍光ランプと密着配置され、側面光反射部５２１の上側反射面はバックライトアセンブリの光学部材（図示せず）に接するように延長形成される。
【００６４】
図７は、本発明の一実施例によるボトムフレームに付着できる光学部材サポーターを示す斜視図である。図７を参照すると、光学部材サポーター５１０は、光学部材収納部５１３、垂直柱５１４、及び傾斜面５１２からなる。構成要素のうち、光学部材収納部５１３は狭い面積を利用して光学部材（図示せず）の両側を支持する。そして、光学部材支持部５１３はボトムフレーム（図示せず）のメイン面より垂直に延長形成された垂直柱５１４によって支持される。光学部材収納部５１３の他の方向には傾斜面５１２がボトムフレームのメイン面と一定の角度を形成するように配置されると同時に、側面光反射部材の側面光反射部（図示せず）を支持する。
【００６５】
光学部材サポーター５１０は、また、垂直柱５１４と傾斜面５１２の下部を互いに接続する水平接続部５１５と水平接続部５１５より下に延長形成されてボトムフレームのメイン面３５０と光学部材サポーター５１０を互いに接続するアンカー５１７を含む固定構造５１６を含むことができる。詳しくは、アンカー５１７はバックライトアセンブリの製造過程において光学部材サポーターの固定ホール（図示せず）に挿入、固定される。
【００６６】
図７よりわかるように、光学部材サポーター５１０は、垂直柱５１４、傾斜面５１２、及び水平接続部５１５からなる内部空き空間５１８によって、光学部材サポーター５１０の製造原価を引き下げることができる。しかし、内部空き空間５１８は光学部材サポーター５１０の機械的強度を向上させるために、部分的に必要最小限埋めることができる。
【００６７】
図１と図３の説明において既に言及したように、ボトムフレームに固定され、互いに隣り合う光学部材サポーターが一定の間隔を形成するために、図４によって示した一体化された側面カバーに伝わる電極ホルダーの熱よりも低温の熱が各光学部材サポーターに伝わる。よって、光学部材サポーター５１０は、側面カバーより廉価の材質をもっても液晶表示装置の安全基準を満足させるに容易である。また、バックライトアセンブリ全体において使用される光学部材サポーターの体積は側面カバーの体積より小さくすることができる。上述のように、光学部材サポーターを適用するバックライトアセンブリは廉価の材料と少ない原料をもっても製造が可能になるため、バックライトアセンブリ及び液晶表示装置の製造原価を引き下げることができる。
【００６８】
図８と図９は、複数の光学部材サポーターの上部が単数、或いは、複数のブリッジで相互接続されていることを示す斜視図である。図８と図９において示す各光学部材サポーターは単品としては図７において既に示されている。しかし、隣り合う光学部材サポーターはブリッジ５１９で互いに接続されている点が異なる。ここで、ブリッジ５１９は図８で示しているように各光学部材サポーターの傾斜面の上部をＷ１の幅で接続している。他方、図９において、ブリッジ５１９ａはＷ１より狭い幅Ｗ２を有し、隣り合う光学部材サポーター５１０の傾斜面の上部５１２を互いに接続することができる。そして、光学部材サポーターの傾斜面の中間部を、また他のブリッジ５１９ｂで接続することができる。
【００６９】
図８と図９において、ブリッジは複数の光学部材サポーターを一体に接続する役割をし、このように一体化された光学部材サポーターの集合はバックライトの製造工程を単純化することができる。このような、接続及び一体化した構造であるにも拘らず、光学部材サポーターは電極ホルダーの上部に空き空間が形成されていることによって熱放出を容易に行うという点においては、一体化されていない光学部材サポーターを用いるバックライトアセンブリと同じである。
【００７０】
図１０は、光学部材サポーターの垂直柱の後方に配置された後方柱の構造を示す斜視図である。図１０に示す光学部材サポーター５１０は、垂直柱５１４の上部に接続されて後方に延長形成された後方支持部５７０を除いては、図７〜図９において説明したような構造を有する。具体的に、後方支持部５７０は、垂直柱５１４の後方に配置され、垂直に延長形成される主支持部５７３と、垂直柱５１４と主支持部５７３を相互接続するカプラー５７５からなる。ここで、主支持部５７３はミドルフレーム（図示せず）を支持することができ、カプラー５７５は光学部材を支持することができる。
【００７１】
図１１は、図１０の光学部材サポーターが適用された液晶表示装置の構造を示す断面図である。図１１を参照すると、光学部材サポーター５１０はミドルフレーム７００を支持する主支持部５７３と光学部材６００を支持するカプラー５７５からなる後方支持部５７０を含む。ここで、光学部材６００は液晶パネル８００の周辺を越えて配置され、光学部材収納部５１３とカプラー５７５、全てにより支持されて充分な支持面積を有することができる。
【００７２】
反面、ミドルフレーム７００はボトムフレーム３００の垂直壁３９０の隣に位置する主支持部５７３によって支持される。このように、主支持部５７３がミドルフレーム７００を垂直壁３９０と共に支持するため、ボトムフレーム３００の垂直壁３９０は図３に示したボトムフレームの二重垂直構造とは異なり、１つの垂直構造を有することができる。ここで、主支持部５７３と垂直壁３９０をともに適用する構造は、同様の空き空間ＥＳ３を提供するため、熱放出を容易に行うことができ、また、ミドルフレーム７００の支持においても効果的な機械的強度を提供するため、液晶表示装置の大きさを小さくする効果を有する。
【産業上の利用可能性】
【００７３】
本発明による液晶表示装置のバックライトアセンブリは、ノートパソコン、モニター、壁掛けＴＶなどのディスプレイ装置に適用することができる。
【００７４】
以上、本発明を実施例によって詳細に説明したが、本発明はこれに限定されず、本発明が属する技術分野において通常の知識を有するものであれば本発明の思想と精神を離れることなく、本発明を修正又は変更できる。
【図面の簡単な説明】
【００７５】
【図１】本発明の一実施例により互いに離隔された光学部材サポーターが配置されたバックライトアセンブリを適用した液晶表示装置の分解斜視図である。
【図２】図１の「Ａ」部分を拡大した部分切開斜視図である。
【図３】本発明の一実施例によるバックライトアセンブリのボトムフレームの端部の内壁とボトムフレームに固定されている光学部材サポーターとの間の空き空間を示す図１の液晶表示装置の断面図である。
【図４】電極ホルダーの上方に空き空間が形成されていないバックライトアセンブリの断面図である。
【図５】本発明の一実施例による図１及び図３に示すボトムフレームを示す斜視図である。
【図６】本発明の一実施例によるコーナーピースと側面光反射領域を含む側面光反射部材を示す概要図である。
【図７】本発明の一実施例によるボトムフレームに付着できる光学部材サポーターを示す斜視図である。
【図８】本発明の一実施例による複数の光学部材サポーターの上部がブリッジの形態で相互接続されることを示す斜視図である。
【図９】本発明の一実施例による複数の光学部材サポーターの上部及び中間部が複数のブリッジをもって相互接続されることを示す斜視図である。
【図１０】本発明の一実施例による光学部材サポーターの垂直柱の後方に配置された後方柱の構造を示す斜視図である。
【図１１】本発明の一実施例による図１０の光学部材サポーターが適用された液晶表示装置の構造を示す断面図である。
【符号の説明】
【００７６】
１００    液晶表示装置
２００    バックライトアセンブリ
３００    ボトムフレーム
３１０    蛍光ランプ反射体
３３０    （電極ホルダーの）固定ホール
３３３    （光学部材サポーターの）固定ホール
３４０    ギャップ
３５０    メイン面
３５５    中央部
３５７    周辺部
３７０    端部
３７３    内壁
３７５    平面部
３７７    外壁
３８０    側部
３８５、５２５    上面
３９０    垂直壁
４００    光源（蛍光ランプ）
４１０    電極ホルダー
４２０    電極部
４２５    電極
４２７    グラス部
４３０    光発散部
５１０    光学部材サポーター
５１２、５２７、５５３    傾斜面
５１３    光学部材収納部
５１４    垂直柱
５１５    水平接続部
５１６    固定構造
５１７    アンカー
５１８    内部空き空間
５１９    ブリッジ
５２０    側面光反射部材
５２１    側面光反射部
５２２    収納開口
５２３    コーナーピース
５２４、５５１    第１垂直面
５２６、５５７    第２垂直面
５５０    側面カバー
５５５    接続部
５７０    後方支持部
５７３    主支持部
５７５    カプラー
６００    光学部材
７００    ミドルフレーム
７１０    水平部
７１３    介在部
７１５    後平部
７２０    垂直面
８００    液晶パネル
９００    トップフレーム
【図１】
0005311638.tif 000002
【図２】
0005311638.tif 000003
【図３】
0005311638.tif 000004
【図４】
0005311638.tif 000005
【図５】
0005311638.tif 000006
【図６】
0005311638.tif 000007
【図７】
0005311638.tif 000008
【図８】
0005311638.tif 000009
【図９】
0005311638.tif 000010
【図１０】
0005311638.tif 000011
【図１１】
0005311638.tif 000012